(57)【要約】【課題】文字入力が行われるキーボードであって、コンピューターの直接入力モードと日本語かな入力モードを切り替えやすいスイッチを有するキーボードを提供する。【解決手段】直接入力モードから日本語かな入力モードへ変更するのに必要な順番で［半角／全角  漢字］キーと［カタカナひらがな  ローマ字］キーの操作ができる「文字入力モード切替スイッチ」を備える構成にした。【選択図】図１
2008276719.tif 000002
【特許請求の範囲】
【請求項１】
文字入力操作が行われるキーボードであって、コンピューターの文字入力モードを切り替えるキー操作手順を物理的に制限する「文字入力モード切替スイッチ」を有することを特徴とするキーボード。
【発明の詳細な説明】
【技術分野】
【０００１】  本発明は、文字入力操作用のキーボードに関する。
【背景技術】
【０００２】  コンピューター用の日本語キーボードでは、一つのキートップに複数の文字が印字されているので、あるキーを押下するとコンピューターの文字入力モードによって、そのキートップに印字されているどの文字が入力されるかが左右される。
例えば、「Ａ」と印字されているキートップには同時に「ち」とも印字されている。そのキーを押下すると、コンピューターの文字入力モードが直接入力モードでは「ａ」が、日本語かな入力モードでは「ち」が、日本語ローマ字入力モードではキートップに印字されていない「あ」が、それぞれ入力される。
一つのキーに複数の文字を割り当てることで、多様な文字入力を提供している。
【発明の開示】
【発明が解決しようとする課題】
【０００３】  しかしながら、キートップに印字されている文字が入力されることを期待する利用者にとっては、キートップに印字されていない文字が入力される日本語ローマ字入力モードは不要であり、直接入力モードと日本語かな入力モードを切り替えることができればよい。しかし、コンピューターの直接入力モードと日本語かな入力モードをキーボード操作で切り替えるには、［半角／全角  漢字］キー、［カタカナひらがな  ローマ字］キー、環境によっては［Ａｌｔ］キーを正しい組み合わせ・順番・タイミングで押下しなければならない。そこで、コンピューターの文字入力モードを切り替えやすいキーボードが求められていた。【０００４】  本発明の課題は、コンピューターの直接入力モードと日本語かな入力モードを切り替えやすいスイッチを有するキーボードを提供することである。
【課題を解決するための手段】
【０００５】  以上の課題を解決するため、請求項１記載の発明は、文字入力操作が行われるキーボードであって、コンピューターの文字入力モードを切り替えるキー操作手順を物理的に制限する「文字入力モード切替スイッチ」を有することを特徴とする。【０００６】  「コンピューターの文字入力モードを切り替えるキー操作手順」とは、直接入力モードから日本語かな入力モードへ切り替える場合は、［半角／全角  漢字］キー、［カタカナひらがな  ローマ字］キーの順番でキーを押下することである。【０００７】  「コンピューターの文字入力モードを切り替えるキー操作手順」とは、日本語かな入力モードから直接入力モードへ切り替える場合は、［カタカナひらがな  ローマ字］キー、［半角／全角  漢字］キーの順番でキーを押下することである。【０００８】  「キー操作手順を物理的に制限する」とは、「文字入力モード切替スイッチ」を直接入力位置から動かす場合は、先に［半角／全角  漢字］キーを押下しなければ、［カタカナひらがな  ローマ字］キーを押下できないようにすることである。【０００９】  「キー操作手順を物理的に制限する」とは、「文字入力モード切替スイッチ」を日本語かな入力位置から動かす場合は、先に［カタカナひらがな  ローマ字］キーを押下しなければ、［半角／全角  漢字］キーを押下できないようにすることである。
【発明を実施するための最良の形態】
【００１０】  以下、図を参照して本発明の実施の形態を詳細に説明する。
本発明のキーボードは、コンピューターの文字入力モードを切り替えるキー操作を正しい順番で行うことができる「文字入力モード切替スイッチ」を有する。「文字入力モード切替スイッチ」を操作することで、コンピューターの直接入力モードと日本語かな入力モードを正しく切り替えることが容易になり、キートップに印字された文字通りの入力が得られるキーボードである。
図１は、本発明のキーボードにおける「文字入力モード切替スイッチ」を示す図である。【００１１】  図１の「文字入力モード切替スイッチ」は直接入力位置１、［半角／全角  漢字］位置２、［カタカナひらがな  ローマ字］位置３、日本語かな入力位置４を有するダイヤル式とした。【００１２】  利用者は「文字入力モード切替スイッチ」を、直接入力するときは直接入力位置１に、日本語かな入力するときは日本語かな入力位置４に移動させるものとする。【００１３】  図１のダイヤルは物理的に一回転しないようにしたので１から４へ回す場合は１，２，３，４と順番をたどることになる。【００１４】  ［半角／全角  漢字］位置２では［半角／全角  漢字］キーが押下される。［カタカナひらがな  ローマ字］位置３では［カタカナひらがな  ローマ字］キーが押下される。【００１５】  コンピューターの文字入力モードが直接入力モードであり、図１のダイヤルが直接入力位置１にある場合から説明する。【００１６】  １から２へ回したときのコンピューターの文字入力モードは、［半角／全角  漢字］位置２で［半角／全角  漢字］キーが押下されるので、日本語ローマ字入力モードになる。【００１７】  ２から３へ回したときのコンピューターの文字入力モードは、［カタカナひらがな  ローマ字］位置３で［カタカナひらがな  ローマ字］キーが押下されるので、日本語かな入力モードになる。【００１８】  ３から４へ回したときのコンピューターの文字入力モードは日本語かな入力モードのままである。４へ回すのは次に回すときに、必ず［カタカナひらがな  ローマ字］位置３で［カタカナひらがな  ローマ字］キーを押下させるためである。【００１９】  コンピューターの文字入力モードが日本語かな入力モードで、図１のダイヤルが日本語かな入力位置４にあるとき、キートップに印字されている「かな文字」が入力できる。例えば「ち」と印字されているキーを押下すれば「ち」と入力される。【００２０】  コンピューターの文字入力モードが日本語かな入力モードであり、図１のダイヤルが日本語かな入力位置４にある場合から説明する。【００２１】  図１のダイヤルは物理的に一回転しないようにしたので４から１へ回す場合は４，３，２，１と順番をたどることになる。【００２２】  ４から３へ回したときのコンピューターの文字入力モードは、［カタカナひらがな  ローマ字］位置３で［カタカナひらがな  ローマ字］キーが押下されるので、日本語ローマ字入力モードになる。【００２３】  ３から２へ回したときのコンピューターの文字入力モードは、［半角／全角  漢字］位置２で［半角／全角  漢字］キーが押下されるので、直接入力モードになる。【００２４】  ２から１へ回したときのコンピューターの文字入力モードは直接入力モードのままである。１へ回すのは次に回すときに、必ず［半角／全角  漢字］位置２で［半角／全角  漢字］キーを押下させるためである。【００２５】  コンピューターの文字入力モードが直接入力モードで、図１のダイヤルが直接入力位置１にあるとき、キートップに印字されている「アルファベット」が入力できる。例えば「Ａ」と印字されているキーを押下すれば「ａ」と入力される。【００２６】  なお、以上の実施の形態においては、���文字入力モード切替スイッチ」を、ダイヤル式を例に説明したが、レバー式やスライド式であってもかまわない。【００２７】  また、［半角／全角  漢字］キーが押下される場合では、［Ａｌｔ］キーを押しながら［半角／全角  漢字］キーが押下されてもかまわないし、［カタカナひらがな  ローマ字］キーが押下される場合では、［Ａｌｔ］キーを押しながら［カタカナひらがな  ローマ字］キーが押下されてもかまわない。【００２８】  また、「キーが押下される」と表現したが、キーが押下されるのと同等の信号が得られれば良く、押しボタン式のキーであることを意味しない。
【実施例】
【００２９】  次に、本発明の「文字入力モード切替スイッチ」を有するキーボードの実施例を具体的に説明する。【００３０】  本実施例では、市販されている鍵付きのプログラマブルキーボードを用いることで「文字入力モード切替スイッチ」を有するキーボードを作成した。【００３１】  プログラマブルキーボードとは任意のキーに任意の文字を登録できるキーボードである。【００３２】  つまり、一般的な日本語キーボードのキー配列が「ＱＷＥＲＴＹ」となっているのに対し、プログラマブルキーボードは任意のキー配列をプログラムできるので「ＡＢＣＤＥＦ」や「あいうえお」などの自由なキー配列が可能である。【００３３】  また、鍵付きのプログラマブルキーボードでは、鍵の位置によりキーボードのキー配列を切り替えることができるので、一つのキーボードで「ＡＢＣＤＥＦ」や「あいうえお」というキー配列を切り替えて使用することができる。【００３４】  また、鍵の位置に任意のキーを配することも可能である。【００３５】  そこで、本実施例のキーボードは鍵の位置が図１の直接入力位置１にあるとき、「ＡＢＣＤＥＦ」というキー配列にした。【００３６】  また、鍵の位置が図１の［半角／全角  漢字］位置２に来る［Ａｌｔ］＋［半角／全角  漢字］キーが押下され、鍵の位置が図１の［カタカナひらがな  ローマ字］位置３に来ると［Ａｌｔ］＋［カタカナひらがな  ローマ字］キーが押下されるようにした。【００３７】  また、鍵の位置が図１の日本語かな入力位置４にあるとき、本実施例のキーボードは「あいうえお」というキー配列にした。
【発明の効果】
【００３８】  請求項１記載の発明によれば、コンピューターの文字入力モードと「文字入力モード切替スイッチ」の文字入力位置が一致していれば、キー操作手順が物理的に制限されているので、「文字入力モード切替スイッチ」を回すだけでコンピューターの文字入力モードを正しい文字入力モードへ切り替えることができる。
【００３９】  また、コンピューターの文字入力モードと「文字入力モード切替スイッチ」の文字入力位置が一致していない場合でも、容易に一致させることができるキーボードであることを以下説明する。
【００４０】  例えば「文字入力モード切替スイッチ」が日本語かな入力位置４にあるにもかかわらず、コンピューターが直接入力モードであった場合は、「文字入力モード切替スイッチ」を３，２，３，４と操作すれば、一度［半角／全角  漢字］位置２で［半角／全角  漢字］キーが押下されることになるので、少なくともコンピューターの文字入力モードは日本語ローマ字入力モードまたは日本語かな入力モードにはなる。つまり、日本語かな入力位置４から二つ隣へ回してから、再び日本語かな入力位置４へ戻せばよい。
【００４１】  また、「文字入力モード切替スイッチ」が日本語かな入力位置４にあるにもかかわらず、コンピューターが日本語ローマ字入力モードであった場合は「文字入力モード切替スイッチ」を３，４と操作すれば、一度［カタカナひらがな  ローマ字］位置３で［カタカナひらがな  ローマ字］キーが押下されることになるので、日本語かな入力モードになり、コンピューターの文字入力モードと「文字入力モード切替スイッチ」の文字入力位置が一致する。つまり、日本語かな入力位置４から一つ隣へ回してから、再び日本語かな入力位置４へ戻せばよい。
【００４２】  利用者は「文字入力モード切替スイッチ」の日本語かな入力位置４で日本語入力することと、その位置で日本語が入力されない場合は二つ隣、キートップと異なる日本語が入力される場合は一つ隣へ「文字入力モード切替スイッチ」を回してから、再び日本語かな入力位置４へ戻すことを覚えさえすればよく、［半角／全角  漢字］キー、［カタカナひらがな  ローマ字］キー、［Ａｌｔ］キー、日本語ローマ字入力などを意識しなくても、正しいコンピューターの文字入力モードでキートップに印字されている文字を入力しやすいキーボードとすることができる。
【図面の簡単な説明】
【００４３】
【図１】本発明の「文字入力モード切替スイッチ」を示した平面図である。
【符号の説明】
【００４４】１，  直接入力位置
２，  ［半角／全角  漢字］位置
３，  ［カタカナひらがな  ローマ字］位置
４，  日本語かな入力位置
【図１】
2008276719.tif 000003
【手続補正書】
【提出日】平成19年8月14日(2007.8.14)
【手続補正１】
【補正対象書類名】特許請求の範囲
【補正対象項目名】請求項１
【補正方法】変更
【補正の内容】
【請求項１】
文字入力操作が行われるキーボードであって、コンピューターの文字入力モードを切り替えるキー操作手順を「文字入力モード切替スイッチ」を直接入力位置から動かす場合は、先に［半角／全角漢字］キーを押下しなければ、［カタカナひらがなローマ字］キーを押下できないように、「文字入力モード切替スイッチ」を日本語かな入力位置から動かす場合は、先に［カタカナひらがなローマ字］キーを押下しなければ、［半角／全角漢字］キーを押下できないように物理的に制限する「文字入力モード切替スイッチ」を有することを特徴とするキーボード。
【手続補正書】
【提出日】平成19年12月3日(2007.12.3)
【手続補正１】
【補正対象書類名】特許請求の範囲
【補正対象項目名】請求項１
【補正方法】変更
【補正の内容】
【請求項１】
文字入力操作が行われる鍵付きのプログラマブルキーボードであって、鍵の位置に、直接入力位置１、［半角／全角  漢字］キーが押下される［半角／全角  漢字］位置２、［カタカナひらがなローマ字］キーが押下される［カタカナひらがなローマ字］位置３、日本語かな入力位置４を位置１，２，３，４の順番で配した「文字入力モード切替スイッチ」を有することを特徴とするキーボード。
【手続補正２】
【補正対象書類名】明細書
【補正対象項目名】０００８
【補正方法】変更
【補正の内容】
【０００８】「キー操作手順を物理的に制限する」とは、「文字入力モード切替スイッチ」を直接入力位置から動かす場合は、［カタカナひらがなローマ字］キーを押下するのに先だって、［半角／全角  漢字］キーを押下しなければ、［カタカナひらがなローマ字］キーを押下できないようにすることである。
【手続補正３】
【補正対象書類名】明細書
【補正対象項目名】０００９
【補正方法】変更
【補正の内容】
【０００９】「キー操作手順を物理的に制限する」とは、「文字入力モード切替スイッチ」を日本語かな入力位置から動かす場合は、［半角／全角  漢字］キーを押下するのに先だって、［カタカナひらがなローマ字］キーを押下しなければ、［半角／全角  漢字］キーを押下できないようにすることである。
【手続補正書】
【提出日】平成20年3月5日(2008.3.5)
【手続補正１】
【補正対象書類名】特許請求の範囲
【補正対象項目名】請求項１
【補正方法】変更
【補正の内容】
【請求項１】
文字入力操作が行われる鍵付きのプログラマブルキーボードであって、鍵の位置として取り得る、直接入力位置１、［半角／全角  漢字］キーが押下されることと等価となる信号が出力される［半角／全角  漢字］位置２、［カタカナひらがな  ローマ字］キーが押下されることと等価となる信号が出力される［カタカナひらがな  ローマ字］位置３、日本語かな入力位置４について、前記位置１，前記位置２，前記位置３，前記位置４の順番で配した「文字入力モード切替スイッチ」を有することを特徴とするキーボード。
【手続補正２】
【補正対象書類名】明細書
【補正対象項目名】０００５
【補正方法】変更
【補正の内容】
【０００５】  以上の課題を解決するため、請求項１記載の発明は、文字入力操作が行われる鍵付きのプログラマブルキーボードであって、鍵の位置として取り得る、直接入力位置１、［半角／全角  漢字］キーが押下されることと等価となる信号が出力される［半角／全角  漢字］位置２、［カタカナひらがな  ローマ字］キーが押下されることと等価となる信号が出力される［カタカナひらがな  ローマ字］位置３、日本語かな入力位置４について、前記位置１，前記位置２，前記位置３，前記位置４の順番で配した「文字入力モード切替スイッチ」を有することを特徴とする。
【手続補正３】
【補正対象書類名】明細書
【補正対象項目名】０００６
【補正方法】変更
【補正の内容】
【０００６】  「コンピューターの文字入力モードを切り替えるキー操作手順」とは、直接入力モードから日本語かな入力モードへ切り替える場合は、［半角／全角  漢字］キー、［カタカナひらがな  ローマ字］キーの順番でキーを押下することと等価となる信号を出力することである。
【手続補正４】
【補正対象書類名】明細書
【補正対象項目名】０００７
【補正方法】変更
【補正の内容】
【０００７】  「コンピューターの文字入力モードを切り替えるキー操作手順」とは、日本語かな入力モードから直接入力モードへ切り替える場合は、［カタカナひらがな  ローマ字］キー、［半角／全角  漢字］キーの順番でキーを押下することと等価となる信号を出力することである。
【手続補正５】
【補正対象書類名】明細書
【補正対象項目名】０００８
【補正方法】変更
【補正の内容】
【０００８】  「キー操作手順を物理的に制限する」とは、「文字入力モード切替スイッチ」を直接入力位置から動かす場合は、［カタカナひらがな  ローマ字］キーを押下することと等価となる信号を出力するのに先だって、［半角／全角  漢字］キーを押下することと等価となる信号を出力しなければ、［カタカナひらがな  ローマ字］キーを押下することと等価となる信号を出力できないようにすることである。
【手続補正６】
【補正対象書類名】明細書
【補正対象項目名】０００９
【補正方法】変更
【補正の内容】
【０００９】  「キー操作手順を物理的に制限する」とは、「文字入力モード切替スイッチ」を日本語かな入力位置から動かす場合は、［半角／全角  漢字］キーを押下することと等価となる信号を出力するのに先だって、［カタカナひらがな  ローマ字］キーを押下することと等価となる信号を出力しなければ、［半角／全角  漢字］キーを押下することと等価となる信号を出力できないようにすることである。
【手続補正７】
【補正対象書類名】明細書
【補正対象項目名】００１４
【補正方法】変更
【補正の内容】
【００１４】  ［半角／全角  漢字］位置２では［半角／全角  漢字］キーが押下されることと等価となる信号が出力される。［カタカナひらがな  ローマ字］位置３では［カタカナひらがな  ローマ字］キーが押下されることと等価となる信号が出力される。
【手続補正８】
【補正対象書類名】明細書
【補正対象項目名】００１６
【補正方法】変更
【補正の内容】
【００１６】  １から２へ回したときのコンピューターの文字入力モードは、［半角／全角  漢字］位置２で［半角／全角  漢字］キーが押下されることと等価となる信号が出力されるので、日本語ローマ字入力モードになる。
【手続補正９】
【補正対象書類名】明細書
【補正対象項目名】００１７
【補正方法】変更
【補正の内容】
【００１７】  ２から３へ回したときのコンピューターの文字入力モードは、［カタカナひらがな  ローマ字］位置３で［カタカナひらがな  ローマ字］キーが押下されることと等価となる信号が出力されるので、日本語かな入力モードになる。
【手続補正１０】
【補正対象書類名】明細書
【補正対象項目名】００１８
【補正方法】変更
【補正の内容】
【００１８】  ３から４へ回したときのコンピューターの文字入力モードは日本語かな入力モードのままである。４へ回すのは次に回すときに、必ず［カタカナひらがな  ローマ字］位置３で［カタカナひらがな  ローマ字］キーを押下することと等価となる信号を出力させるためである。
【手続補正１１】
【補正対象書類名】明細書
【補正対象項目名】００２２
【補正方法】変更
【補正の内容】
【００２２】  ４から３へ回したときのコンピューターの文字入力モードは、［カタカナひらがな  ローマ字］位置３で［カタカナひらがな  ローマ字］キーが押下されることと等価となる信号が出力されるので、日本語ローマ字入力モードになる。
【手続補正１２】
【補正対象書類名】明細書
【補正対象項目名】００２３
【補正方法】変更
【補正の内容】
【００２３】  ３から２へ回したときのコンピューターの文字入力モードは、［半角／全角  漢字］位置２で［半角／全角  漢字］キーが押下されることと等価となる信号が出力されるので、直接入力モードになる。
【手続補正１３】
【補正対象書類名】明細書
【補正対象項目名】００２４
【補正方法】変更
【補正の内容】
【００２４】  ２から１へ回したときのコンピューターの文字入力モードは直接入力モードのままである。１へ回すのは次に回すときに、必ず［半角／全角  漢字］位置２で［半角／全角  漢字］キーを押下することと等価となる信号を出力させるためである。
【手続補正１４】
【補正対象書類名】明細書
【補正対象項目名】００２７
【補正方法】変更
【補正の内容】
【００２７】  また、［半角／全角  漢字］キーが押下されることと等価となる信号が出力される場合では、［Ａｌｔ］キーを押しながら［半角／全角  漢字］キーが押下されることと等価となる信号が出力されてもかまわないし、［カタカナひらがな  ローマ字］キーが押下されることと等価となる信号が出力される場合では、［Ａｌｔ］キーを押しながら［カタカナひらがな  ローマ字］キーが押下されることと等価となる信号が出力されてもかまわない。
【手続補正１５】
【補正対象書類名】明細書
【補正対象項目名】００３６
【補正方法】変更
【補正の内容】
【００３６】  また、鍵の位置が図１の［半角／全角  漢字］位置２に来ると［Ａｌｔ］＋［半角／全角  漢字］キーが押下されることと等価となる信号が出力され、鍵の位置が図１の［カタカナひらがな  ローマ字］位置３に来ると［Ａｌｔ］＋［カタカナひらがな  ローマ字］キーが押下されることと等価となる信号が出力されるようにした。
【手続補正１６】
【補正対象書類名】明細書
【補正対象項目名】００４０
【補正方法】変更
【補正の内容】
【００４０】  例えば「文字入力モード切替スイッチ」が日本語かな入力位置４にあるにもかかわらず、コンピューターが直接入力モードであった場合は、「文字入力モード切替スイッチ」を３，２，３，４と操作すれば、一度［半角／全角  漢字］位置２で［半角／全角  漢字］キーが押下されることと等価となる信号が出力されることになるので、少なくともコンピューターの文字入力モードは日本語ローマ字入力モードまたは日本語かな入力モードにはなる。つまり、日本語かな入力位置４から二つ隣へ回してから、再び日本語かな入力位置４へ戻せばよい。
【手続補正１７】
【補正対象書類名】明細書
【補正対象項目名】００４１
【補正方法】変更
【補正の内容】
【００４１】  また、「文字入力モード切替スイッチ」が日本語かな入力位置４にあるにもかかわらず、コンピューターが日本語ローマ字入力モードであった場合は「文字入力モード切替スイッチ」を３，４と操作すれば、一度［カタカナひらがな  ローマ字］位置３で［カタカナひらがな  ローマ字］キーが押下されることと等価となる信号が出力されることになるので、日本語かな入力モードになり、コンピューターの文字入力モードと「文字入力モード切替スイッチ」の文字入力位置が一致する。つまり、日本語かな入力位置４から一つ隣へ回してから、再び日本語かな入力位置４へ戻せばよい。